【手続補正書】
【提出日】平成15年11月27日(2003.11.27)
【手続補正１】
【補正対象書類名】特許請求の範囲
【補正対象項目名】全文
【補正方法】変更
【補正の内容】
【特許請求の範囲】
【請求項１】
ラウドスピーカにおいて撓み剛性が周波数に伴って変化する撓み波音響ラジエータを作る方法であって、前記方法が、
前記撓み剛性が低周波数においてより低くなり高周波数においてより高くなるように前記撓み剛性の変化を選択して、前記ラウドスピーカからの所望の音響出力をもたらし、
前記音響ラジエータに前記選択された変化を持たせる、
ことを含む方法。
【請求項２】
前記スピーカの動作可能周波数レンジにおいてガラスからゴムへ転移する周波数依存材料で作られた構成要素を有する音響ラジエータを選択することを含む、請求項１に記載の方法。
【請求項３】
前記周波数依存材料を変更して、前記転移が発生する周波数を調整することを含む請求項２に記載の方法。
【請求項４】
前記材料がポリマーであり、前記方法が、分子量、分子分布、立体効果、側鎖の極性、及び架橋密度からなるグループのパラメータの少なくとも１つを変更することを含む請求項３に記載の方法。
【請求項５】
前記周波数レンジの選択された点において、比較的急激に転移するように撓み剛性の変化を選択することを含む請求項１乃至４のいずれか１項に記載の方法。
【請求項６】
前記周波数依存材料が、粘弾性材料、樹脂、熱可塑性ポリマー、発泡材料、及びポリマーブレンドからなるグループから選択される請求項５に記載の方法。
【請求項７】
前記周波数依存材料が周波数に依存しない、より係数の高い繊維強化を封入するポリマー材料である請求項６に記載の方法。
【請求項８】
前記周波数依存材料が周波数に依存しない、より質量の大きい第２の材料を封入するポリマー材料である請求項７に記載の方法。
【請求項９】
前記周波数依存材料が、粘弾性材料、樹脂、熱可塑性ポリマー、発泡材料、及びポリマーブレンドからなるグループから選択される請求項１乃至４のいずれか１項に記載の方法。
【請求項１０】
前記周波数依存材料が周波数に依存しない、より係数の高い繊維強化を封入するポリマー材料である請求項９に記載の方法。
【請求項１１】
前記周波数依存材料が周波数に依存しない、より質量の大きい第２の材料を封入するポリマー材料である請求項１０に記載の方法。
【請求項１２】
ラウドスピーカの音響部材を作る方法において、該ラウドスピーカが、動作可能な周波数レンジと、減衰を含む前記音響部材の物理的パラメータの値に依存する音響出力とを有し、前記音響部材が可動コイル変換器のコイルとマグネット組立体との間でコンプライアントサスペンションの形態であり、前記サスペンションが周波数に伴って変化する減衰を有し、前記方法が、特定周波数において高い値を有するように減衰を選択して該特定周波数における共振を減衰させ、前記音響部材に前記選択された減衰変化を持たせる、ことを含む方法。
【請求項１３】
ラウドスピーカの音響部材を作る方法において、該ラウドスピーカが、動作可能な周波数レンジと、減衰を含む前記音響部材の物理的パラメータの値に依存する音響出力とを有し、前記音響部材が音響ラジエータ内の少なくとも１つの共振撓み波モードに連成された質量体の形態であり、前記質量体が周波数に伴って変化する減衰を有し、前記方法が、低周波数において高く高周波数において低いように質量体の減衰を選択し、前記音響部材に前記選択された減衰変化を持たせる、ことを含む方法。
【請求項１４】
前記音響部材が周波数の関数として変化する少なくとも１つのパラメータを有する、周波数依存材料で作られた構成要素を含むことを特徴とする動作可能な周波数レンジを有するラウドスピーカの音響部材。
【請求項１５】
前記パラメータが減衰、撓み剛性、ヤング係数、引張係数、圧縮係数、及び剪断係数からなるグループから選択される請求項１４に記載の音響部材。
【請求項１６】
周波数依存パラメータを有する少なくとも１つの構成要素を含む複合構造体を有する請求項１４又は１５に記載の音響部材。
【請求項１７】
低密度材料のコアと、接着層によって前記コアの両面に接着された２つのスキンとを備え、前記スキンが周波数に伴って増大する剛性を有することを特徴とする請求項１６に記載の音響部材。
【請求項１８】
前記音響部材が支持体、スタンド、又は壁に前記ラウドスピーカを取り付けるためのサスペンションであることを特徴とする、請求項１４に記載の音響部材。
【請求項１９】
前記ラウドスピーカが、撓み波振動を支持する音響ラジエータとサスペンションによって音響ラジエータに取り付けられ、該ラジエータの中に撓み波振動を励振して音響出力を生成する変換器とを備える撓み波ラウドスピーカであり、前記音響部材が、前記音響ラジエータ、前記変換器サスペンション、フレーム内の前記ラジエータを支持するサスペンション、又は前記音響ラジエータに取り付けられた質量体からなるグループから選択されることを特徴とする請求項１４に記載の音響部材。
【請求項２０】
前記音響部材が、低周波数で撓み剛性がより低く高周波数で撓み剛性がより高い撓み波音響ラジエータである請求項１９に記載の音響部材。
【請求項２１】
前記撓み剛性が周波数レンジ内の選択された点において比較的急激な転移を有する請求項２０に記載の音響部材。
【請求項２２】
前記変換器がコイルとマグネット組立体とを有する可動コイル変換器であり、前記音響部材が前記コイルと前記マグネット組立体との間でコンプライアントサスペンションの形態であり、且つ特定周波数において高い減衰を有することにより該特定周波数における共振が減衰されることを特徴とする請求項１９に記載の音響部材。
【請求項２３】
前記音響ラジエータが共振撓み波モードの分布を有し、前記音響部材が前記音響ラジエータ内の少なくとも１つの固有モードに連成された質量体の形態であり、前記質量体が低周波数において減衰が高く高周波数において減衰が低いことを特徴とする請求項１９に記載の音響部材。
【請求項２４】
前記音響ラジエータの構造体内部の特定の位置に適用された周波数依存材料を有する音響ラジエータの形態の請求項１９に記載の音響部材。
【請求項２５】
前記サスペンションがより高周波数において低い減衰と低いコンプライアンスとを有し、より低い周波数において高い減衰と高いコンプライアンスとを有する、撓み波音響ラジエータの周縁の周りに延びるラジエータサスペンションの形態の請求項１９に記載の音響部材。
【請求項２６】
低い周波数においてより低く高周波数においてより高いヤング係数の材料で形成されたモノシリック撓み波パネルの形態の請求項１９に記載の音響部材。
【請求項２７】
少なくとも１つの寸法にわたって先細である音響ラジエータの形態の請求項１９に記載の音響部材。
【請求項２８】
前記音響ラジエータの中心領域が剛体で端部領域が高コンプライアンスであり、これにより前記音響ラジエータが支持フレームに対して音響ラジエータと端部サスペンションの両方を作動することを特徴とする、請求項２７に記載の音響部材。
【請求項２９】
前記ラウドスピーカは、コンプライアント端部終端によってフレームに取り付けられたコーン形の音響ラジエータと、スパイダによってフレーム上に支持された駆動ユニットと、前記コーンと駆動ユニットを収容するエンクロージャとを備えるピストン式ラウドスピーカであり、前記音響部材がスパイダ、コンプライアント端部終端、コア、又は駆動ユニットをエンクロージャに結合するコンプライアントサスペンションからなるグループから選択されることを特徴とする請求項１４に記載の音響部材。
【請求項３０】
前記終端が低周波数においてコンプライアンスが高く高周波数においてコンプライアンスがより低い、前記コーン周辺でコンプライアント端部終端の形態の請求項２９に記載の音響部材。
【請求項３１】
低周波数において減衰が高く高周波数において剛性が増大するコーンの形態の請求項２９に記載の音響部材。
【請求項３２】
前記周波数依存材料が、前記スピーカの動作可能な周波数レンジにおいてガラスからゴムへの転移を有することを特徴とする請求項１４に記載の音響部材。
【請求項３３】
前記音響部材が別個の領域を有し、各領域が異なる周波数の転移を有することを特徴とする、請求項３２に記載の音響部材。
【請求項３４】
前記周波数依存材料が、粘弾性材料、樹脂、熱可塑性ポリマー、発泡材料、及びポリマーのブレンドからなるグループから選択される請求項１４に記載の音響部材。
【請求項３５】
前記周波数依存材料が、周波数に依存しないより高い係数の繊維強化を封入するポリマー材料である請求項１４に記載の音響部材。
【請求項３６】
前記周波数依存材料が、周波数に依存しないより質量の高い第２の材料を封入するポリマー材料である請求項１４に記載の音響部材。